(57)【要約】【課題】  シールを設けることによって、宣伝広告効果を一層向上させることができる隠蔽葉書のような隠蔽送付体を提供する。【課題の解決手段】  隠蔽葉書１は、透視不能な葉書本体２と、この葉書本体２の一面側に重ねるとともに、スリット７でシール８を区画形成したシール部６を有する透視不能な隠蔽片３とからなり、隠蔽片３における印字部５の葉書本体２との対向面には隠蔽情報９を表示し、葉書本体２には、シール部６のシール８に対向する部分に剥離剤１０を設けたうえ全面的に粘着剤層１１を設け、この粘着剤層１１の印字部５に対向する部分に、疑似接着層となるメジウム層１２、剥離ニス層１３、目止めインキ層１４を順次積層し、葉書本体２と隠蔽片３とを、シール部６においては粘着剤層１１を介して、印字部５では疑似接着層１２，１３を介して、互いに接着してなる。【選択図】    図２
2006026940.tif 000002
【特許請求の範囲】
【請求項１】
透視不能な送付体と、この送付体の一面側に重ねるとともに、スリットでシールを区画形成したシール部を有する透視不能な隠蔽片とからなり、前記送付体と前記隠蔽片のシール部を除いた部分との対向面の少なくとも一方には、情報を表示し、前記送付体には、前記シール部の少なくともシールに対向する部分に剥離剤を設けたうえ全面的に粘着剤層を設け、この粘着剤層の前記シール部に対向する部分を除いた部分に、疑似接着層を積層し、前記送付体と前記隠蔽片とを、前記シール部においては前記粘着剤層を介して、前記シール部以外の部分では前記疑似接着層を介して、互いに貼付してなることを特徴とする隠蔽送付体。
【発明の詳細な説明】
【技術分野】
【０００１】
本発明は、隠蔽葉書のような隠蔽送付体に関し、送付体と隠蔽片とからなる隠蔽送付体に関する。
【背景技術】
【０００２】
従来から、隠蔽送付体、例えば、葉書本体と隠蔽片とからなる隠蔽葉書は種々知られているが、隠蔽片を葉書本体に対して剥離可能に接着し、この接着面の適所に表示した情報を被覆隠蔽した状態で宛名人に伝達する一方、宛名人は隠蔽片を葉書本体から剥離して、隠蔽されていた情報を視認するよう構成している。すなわち、隠蔽片は、情報を隠蔽する機能しか有していない。
【特許文献１】特開平４−３２５２９１号公報
【発明の開示】
【発明が解決しようとする課題】
【０００３】
近年、ダイレクトメール葉書に宣伝広告用のシールを設けて、宣伝広告効果を高めたいという要望があるが、従来の隠蔽葉書では、この要望に応えることはできなかった。本発明は、この要望に応えることができる隠蔽送付体を提供することを目的とする。
【課題を解決するための手段】
【０００４】
この目的を達成するために、本発明の請求項１に係る隠蔽送付体は、透視不能な送付体、例えば葉書本体と、この送付体の一面側に重ねるとともに、スリットでシールを区画形成したシール部を有する透視不能な隠蔽片とからなり、前記送付体と前記隠蔽片のシール部を除いた部分との対向面の少なくとも一方には、情報を表示し、前記送付体には、前記シール部の少なくともシールに対向する部分に剥離剤を設けたうえ全面的に粘着剤層を設け、この粘着剤層の前記シール部に対向する部分を除いた部分に、疑似接着層となるメジウム層、剥離ニス層、目止めインキ層を順次積層し、前記送付体と前記隠蔽片とを、前記シール部においては前記粘着剤層を介して、前記シール部以外の部分では前記疑似接着層を介して、互いに貼付してなるものである。
【発明の効果】
【０００５】
本発明に係る隠蔽送付体によれば、シールを設けることによって、宣伝広告効果を一層向上させることができる、という効果を奏する。
【発明を実施するための最良の形態】
【０００６】
以下、本発明を隠蔽葉書に適用した場合の好適な実施形態について添付図面に基づき説明する。ここにおいて、図１は隠蔽葉書の隠蔽片側を示す平面図、図２は図１のＡ−Ａ線端面図である。
【０００７】
図１及び図２に示すように、隠蔽葉書１は、透視不能な葉書本体２と、この葉書本体２の一面側に重ねて配置する同一大で同じく透視不能な隠蔽片３とからなる。前記葉書本体２の表出面側、すなわち前記隠蔽片３と反対面側は、宛名表示面であり、ここには図示してはいないが、葉書表示を印刷し、宛名情報を印字している。一方、前記隠蔽片３は、切り用ミシン目４によって印字部５とシール部６に区画し、シール部６には、スリット７で宣伝広告用のシール８を区画形成している。また、前記隠蔽片３の印字部５における前記葉書本体２との対向面側には、隠蔽して宛名人に伝達する情報である隠蔽情報９を印字している。さらに、図示してはいないが、前記シール８の表出面には、適宜な宣伝広告文を印刷している。
【０００８】
図２に示すように、葉書本体２には、隠蔽片３のシール部６の各シール８に対向する部分に、帯状に剥離剤１０を塗布したうえ、全面的に粘着剤層１１を設けて、前記剥離剤１０を被覆している。そして、この粘着剤層１１の前記隠蔽片３の印字部５に対向する部分に、疑似接着層となるメジウム層１２、剥離ニス層１３、目止めインキ層１４を順次積層している。これによって、隠蔽片３の印字部５は剥離ニス層１３とメジウム層１２との間で層間剥離可能となり、前記葉書本体２から前記隠蔽片３の印字部５を前記剥離ニス層１３及び前記目止めインキ層１４とともに剥離することができる。また、前記隠蔽片３のシール部６においては、各シール８を前記粘着剤層１１とともに、前記葉書本体２から剥離可能である。
【０００９】
なお、メジウム層１２、剥離ニス層１３、目止めインキ層１４は、それぞれ公知で透視可能なものを用いることができる。また、前記目止めインキ層１４は、前記剥離ニス層１３の影響が隠蔽片３に及ぶことを防止するために設けたものである。
【００１０】
上述の葉書本体２と隠蔽片３との接着力の程度は三つの部分で異なるもので、印字部５と葉書本体２との接着力は剥離可能で最も弱く、シール８と葉書本体２との接着力は剥離可能であるが印字部５における接着力よりは強く、シール８以外の剥離剤１０が存在しないシール部６と葉書本体２との接着力は、剥離困難で最も強いものである。なお、図１に示すように、隠蔽片３の表出面、すなわち葉書本体２対向面とは反対側の面には、左下コーナーに印字部５の剥離開始端を示す剥離開始端表示１５を印刷してある。
【００１１】
本実施形態は以上のように構成したので、隠蔽葉書１は通常の葉書と同様に使用可能である。この隠蔽葉書１を受領した宛名人は、隠蔽片３を左下コーナー部分から捲り上げると、剥離ニス層１３とメジウム層１２との間で層間剥離するので、切り用ミシン目４を破断して、印字部５を葉書本体２から分離することができる。これによって、隠蔽情報９を剥離ニス層１３及び目止めインキ層１４を透して視認可能となる。
【００１２】
また、隠蔽葉書１の宛名人は、葉書本体２とともに残ったシール部６からシール８を捲り上げると、このシール８は裏面に粘着剤９をともなって前記葉書本体２から分離する。したがって、この分離したシール８は、裏面の粘着剤９によって適所に貼付可能である。
【００１３】
なお、本発明は上述した各実施形態に限定されるものではなく、例えば、隠蔽情報９は葉書本体２側に設けてもよい。この場合には、メジウム層１２及び粘着剤１１は透視可能なものを用いることが必要となる。また、シール８の形状や数は図示のものに限らない。このシール８を区画形成するスリット７は、完全な切り込みからなるスリットのほか、ハーフスリットや一部に切り込みのないスリットをも含むものである。さらに、剥離開始端となるコーナーには、剥離開始動作を容易にするために、コーナーカットを設けたり、スリットを設けてもよい。またさらに、隠蔽片３の表出面に差出人情報をはじめとする各種情報を印字あるいは印刷してもよいことはもちろんである。
【図面の簡単な説明】
【００１４】
【図１】隠蔽葉書の隠蔽片側を示す平面図。
【図２】図１のＡ−Ａ線端面図。
【符号の説明】
【００１５】
１      隠蔽葉書
２      葉書本体
３      隠蔽片
４      切り用ミシン目
５      印字部
６      シール部
７      スリット
８      シール
９      隠蔽情報
１０      剥離剤
１１      粘着剤層
１２      メジウム層
１３      剥離ニス層
１４      目止めインキ層
１５      剥離開始端表示
【図１】
2006026940.tif 000003
【図２】
2006026940.tif 000004